【手続補正書】
【提出日】令和1年8月16日(2019.8.16)
【手続補正１】
【補正対象書類名】特許請求の範囲
【補正対象項目名】全文
【補正方法】変更
【補正の内容】
【特許請求の範囲】
【請求項１】
励起源(212)と、
損失性導電媒体(203)上の高さ(H1)に持ち上げられた帯電端子(T1)、グラウンド杭(2012, 2112, 2312, 2412)、並びに前記グラウンド杭(2012, 2112, 2312, 2412)、前記励起源(212)及び前記帯電端子(T1)の間で結合されている給電ネットワーク(209)を含む誘導表面導波プローブ(2010, 2110, 2310, 2410)と、
前記損失性導電媒体(203)にわたり前記誘導表面導波プローブ(2010, 2110, 2310, 2410)から離れるように、前記グラウンド杭(2012, 2112, 2312, 2412)から半径方向にある距離だけ延びる導体(2030, 2130, 2133, 2134, 2135, 2230, 2240, 2330, 2430)と、を備えるシステム。
【請求項２】
前記導体は、前記誘導表面導波プローブから離れるように半径方向に前記距離だけ延びる第１の長さの導体と、前記誘導表面導波プローブから離れるように少なくともハンケル交差距離以上の距離で、前記誘導表面導波プローブの周囲に少なくとも部分的に横方向に延びる第２の長さの導体と、を含む、請求項１に記載のシステム。
【請求項３】
前記導体は、前記誘導表面導波プローブから離れるように半径方向に前記距離だけ延びる第１の長さの導体と、前記損失性導電媒体にわたる範囲に及ぶ追加の導体のネットワークと、を含み、
前記第１の長さの導体が延びる前記距離は、前記誘導表面導波プローブのハンケル交差距離よりも大きい、請求項１又は２に記載のシステム。
【請求項４】
前記損失性導電媒体と第２の媒体の間に境界面を更に備え、前記導体は、実質的に前記境界面に沿って前記距離だけ延びる、請求項１から３のいずれか１項に記載のシステム。
【請求項５】
前記損失性導電媒体と第２の媒体の間に境界面を更に備え、前記導体は、前記第２の媒体内で前記距離の少なくとも一部分だけ延びる、請求項１から３のいずれか１項に記載のシステム。
【請求項６】
前記損失性導電媒体にわたり前記誘導表面導波プローブから離れるように半径方向に第２の距離だけ延びる、前記グラウンド杭に結合された第２の導体と、
複数の誘導表面波受信器であって、前記複数の誘導表面波受信器の少なくとも１つは、前記導体に結合されたグラウンド接続を含み、及び前記複数の誘導表面波受信器の少なくとも別の１つは、前記第２の導体に結合されたグラウンド接続を含む複数の誘導表面波受信器と、を更に備える、請求項１から５のいずれか１項に記載のシステム。
【請求項７】
前記誘導表面導波プローブは、前記損失性導電媒体の複素ブルースター入射角で入射する波面を合成する、結果として生じる少なくとも１つの電界を生成するように構成されている、請求項１から６のいずれか１項に記載のシステム。
【請求項８】
前記給電ネットワークは、前記誘導表面導波プローブの近傍の前記損失性導電媒体に関連付けられた複素ブルースター入射角に関連付けられたウェーブチルト角に整合する位相遅延をもたらすように構成されている、請求項１から７のいずれか１項に記載のシステム。
【請求項９】
励起源(212)と、
損失性導電媒体上の高さ(H1)に持ち上げられた帯電端子(T1)、及び前記帯電端子(T1)に電気的に接続され、前記損失性導電媒体(203)と接触しているグラウンド杭(2012, 2112, 2312, 2412)を含む誘導表面導波プローブ(2010, 2110, 2310, 2410)と、
前記損失性導電媒体(203)に沿って前記誘導表面導波プローブ(2010, 2110, 2310, 2410)から離れるように前記グラウンド杭(2012, 2112, 2312, 2412)からある距離だけ延びる導体(2030, 2130, 2133, 2134, 2135, 2230, 2240, 2330, 2430)と、
前記導体(2022)に近接したグラウンド接続を含む少なくとも１つの誘導表面波受信器(2020, 2120A-G)と、を備えるシステム。
【請求項１０】
前記導体は、前記誘導表面導波プローブから離れるように前記距離だけ延びる第１の長さの導体、及び前記第１の長さの導体に電気的に接続された追加の導体のネットワーク、を含む、請求項９に記載のシステム。
【請求項１１】
前記追加の導体のネットワークは、前記第１の長さの導体に電気的に接続されており、一定の範囲にわたって前記誘導表面導波プローブから少なくともハンケル交差距離以上の距離で延びる、請求項１０に記載のシステム。
【請求項１２】
前記導体は、前記損失性導電媒体内で前記距離の少なくとも一部分だけ延びる、請求項９から１１のいずれか１項に記載のシステム。
【請求項１３】
前記損失性導電媒体と第２の媒体の間に境界面を更に備え、前記導体は、前記第２の媒体内で前記距離の少なくとも一部分だけ延びる、請求項９から１２のいずれか１項に記載のシステム。
【請求項１４】
前記損失性導電媒体にわたり前記誘導表面導波プローブから離れるように第２の距離だけ延びる、前記グラウンド杭に結合された第２の導体と、
前記第２の導体に結合されたグラウンド接続を含む少なくとも１つの他の誘導表面波受信器と、を更に備える、請求項１３に記載のシステム。
【請求項１５】
前記誘導表面導波プローブは、前記グラウンド杭、前記励起源、及び前記帯電端子の間で結合された給電ネットワークを更に含み、
前記給電ネットワークは、前記誘導表面導波プローブの近傍の前記損失性導電媒体に関連付けられた複素ブルースター入射角に関連付けられたウェーブチルト角に整合する位相遅延をもたらすように構成されている、請求項９から１４のいずれか１項に記載のシステム。
【請求項１６】
方法であって、
グラウンド杭(2012, 2112, 2312, 2412)を、誘導表面導波プローブ(2010, 2110, 2310, 2410)の帯電端子(T1)に電気的に接続することであって、前記帯電端子(T1)は損失性導電媒体(203)上の高さ(H1)に持ち上げられる、ことと、
前記グラウンド杭(2012, 2112, 2312, 2412)を前記損失性導電媒体(203)と接触するように位置させることと、
前記損失性導電媒体(203)に沿って前記誘導表面導波プローブ(2010, 2110, 2310, 2410)から離れるように前記グラウンド杭(2012, 2112, 2312, 2412)からある距離だけ延びる導体(2030, 2130, 2133, 2134, 2135, 2230, 2240, 2330, 2430)を位置させることであって、少なくとも１つの誘導表面波受信器(2020, 2120A-G)は、前記導体(2030, 2130, 2133, 2134, 2135, 2230, 2240, 2330, 2430)に近接したグラウンド接続(2022)を含む、こととを含む方法。
【請求項１７】
前記導体は、前記誘導表面導波プローブから離れるように前記距離だけ延びる第１の長さの導体を含み、前記方法は、更に、前記第１の長さの導体に追加の導体のネットワークを電気的に接続することを含む、請求項１６に記載の方法。
【請求項１８】
前記追加の導体のネットワークを前記第１の長さの導体に電気的に接続することであって、前記追加の導体のネットワークは、一定の範囲にわたって前記誘導表面導波プローブから少なくともハンケル交差距離以上の距離で延びる、ことを更に含む、請求項１７に記載の方法。
【請求項１９】
前記導体は、前記損失性導電媒体内で前記距離の少なくとも一部分だけ延びる、請求項１６から１８のいずれか１項に記載の方法。
【請求項２０】
前記損失性導電媒体と第２の媒体の間に境界面を更に有し、前記導体は、前記第２の媒体内で前記距離の少なくとも一部分だけ延びる、請求項１６から１９のいずれか１項に記載の方法。